(57)【要約】【課題】操作を制限した動作モードと、そうでない動作モードとを、より適切に使い分けられる技術を提供する。【解決手段】本発明の撮像装置は、変更可能な設定項目が制限される第１の撮影モードと、前記第１の撮影モードとは異なる第２の撮影モードとを含む複数の撮影モードのいずれかを設定するモード設定手段と、前記第１の撮影モードで起動するか否かを設定する起動設定手段と、前記第１の撮影モードで起動すると設定されている場合には、前記撮像装置の前回の電源オフの直前に設定されていた撮影モードにかかわらず、前記第１の撮影モードで起動し、前記第１の撮影モードで起動すると設定されていない場合には、前記撮像装置の前回の電源オフの直前に設定されていた撮影モードに基づく撮影モードで起動するように制御する制御手段と、を有する。【選択図】図３
2018082331.tif 000002
【特許請求の範囲】
【請求項１】
撮像装置であって、
撮影に関する設定を変更可能な設定項目が制限される第１の撮影モードと、前記第１の撮影モードとは異なる第２の撮影モードとを含む複数の撮影モードのいずれかを設定するモード設定手段と、
前記第１の撮影モードで起動するか否かを設定する起動設定手段と、
前記起動設定手段によって前記第１の撮影モードで起動すると設定されている場合には、前記撮像装置の起動時に、前記撮像装置の前回の電源オフの直前に設定されていた撮影モードにかかわらず、前記第１の撮影モードで起動し、
前記起動設定手段によって前記第１の撮影モードで起動すると設定されていない場合には、前記撮像装置の起動時に、前記撮像装置の前回の電源オフの直前に設定されていた撮影モードに基づく撮影モードで起動するように制御する制御手段と、
を有することを特徴とする撮像装置。
【請求項２】
前記第１の撮影モードにおいては、前記起動設定手段による設定の変更はできない
ことを特徴とする請求項１に記載の撮像装置。
【請求項３】
前記制御手段は、前記起動設定手段によって前記第１の撮影モードで起動すると設定されている場合には、前記第１の撮影モードから他の撮影モードに変更された際に、前記起動設定手段によって前記第１の撮影モードで起動すると設定されている旨を表示するように制御する
ことを特徴とする請求項２に記載の撮像装置。
【請求項４】
前記起動設定手段によって前記第１の撮影モードで起動すると設定されている場合には、前記第１の撮影モードから他の撮影モードに変更された際に、前記制御手段は更に、前記起動設定手段による設定の変更方法に関する通知を表示するように制御する
ことを特徴とする請求項３に記載の撮像装置。
【請求項５】
前記第１の撮影モードは、複数の設定項目についてユーザによる設定変更を受け付けない撮影モードであり、
前記複数の撮影モードは、前記第１の撮影モードでユーザによる設定変更を受け付けない前記複数の設定項目よりも少ない数の設定項目についてユーザによる設定変更を受け付けない第３の撮影モードを含み、
前記第３の撮影モードが設定されている場合に、前記モード設定手段は、設定されている撮影モードを前記第１の撮影モードまたは前記第２の撮影モードへ切り替えることができ、
前記第２の撮影モードが設定されている場合に、前記モード設定手段は、設定されている撮影モードを前記第１の撮影モードへ切り替えることができず、
前記第１の撮影モードが設定されている場合に、前記モード設定手段は、設定されている撮影モードを前記第２の撮影モードへ切り替えることができない
ことを特徴とする請求項１乃至４のいずれか１項に記載の撮像装置。
【請求項６】
前記起動設定手段によって前記第１の撮影モードで前記撮像装置を起動することが設定されておらず、且つ、前記撮像装置の前回の電源オフの直前に前記第１の撮影モードまたは前記第３の撮影モードが設定されていた場合に、前記制御手段は、前記撮像装置の起動時に、前記第３の撮影モードで起動するように制御し、
前記第１の撮影モードで前記撮像装置を起動することが設定されておらず、且つ、前記撮像装置の前回の動作停止時に前記第２の撮影モードが設定されていた場合に、前記制御手段は、前記撮像装置の起動時に、前記第２の撮影モードで起動するように制御する
ことを特徴とする請求項５に記載の撮像装置。
【請求項７】
外部機器との通信を行う通信手段、をさらに有し、
前記第１の撮影モードが設定されている場合に、前記モード設定手段は、前記通信手段による前記通信の開始に応じて、設定されている撮影モードを前記第３の撮影モードへ切り替える
ことを特徴とする請求項５または６に記載の撮像装置。
【請求項８】
前記第２の撮影モードでは、第１の設定項目の設定を変更するユーザ操作が受け付けられ、
前記第１の撮影モードでは、前記第１の設定項目の設定を変更するユーザ操作が受け付けられない
ことを特徴とする請求項１乃至７のいずれか１項に記載の撮像装置。
【請求項９】
前記第１の設定項目は、
撮影された画像を当該撮影後に表示部が自動で表示するレビュー表示に関する設定項目、
撮影された画像に付加される情報に関する設定項目、
表示部での表示の切り替えに関する設定項目、
フォーカスの自動調整に関する設定項目、
露出の補正に関する設定項目、
被写体からの光の測光方式に関する設定項目、
ＩＳＯ感度に関する設定項目
ホワイトバランスに関する設定項目、
セルフタイマーに関する設定項目
連写／単写を含む撮影の種類に関する設定項目
撮影された画像の画質に関する設定項目
の少なくともいずれかを含む
ことを特徴とする請求項８に記載の撮像装置。
【請求項１０】
前記第１の撮影モードでも前記第２の撮影モードでも、第２の設定項目の設定を変更するユーザ操作が受け付けられる
ことを特徴とする請求項８または９に記載の撮像装置。
【請求項１１】
前記第２の設定項目は、ストロボの発光に関する設定項目である
ことを特徴とする請求項１０に記載の撮像装置。
【請求項１２】
前記第１の撮影モードでも前記第２の撮影モードでも、電源オフ操作と撮影操作は受け付けられる
ことを特徴とする請求項８乃至１１のいずれか１項に記載の撮像装置。
【請求項１３】
前記制御手段は、前記起動設定手段によって前記第１の撮影モードで起動すると設定されている場合には、起動の際に、前記第１の撮影モードから他の撮影モードに切り替えるための操作方法に関する表示を行うように制御する
ことを特徴とする請求項１乃至１２のいずれか１項に記載の撮像装置。
【請求項１４】
前記第１の撮影モードから他の撮影モードに切り替えるための操作方法は、特定のボタンの長押しである
ことを特徴とする請求項１乃至１３のいずれか１項に記載の撮像装置。
【請求項１５】
撮像装置の制御方法であって、
撮影に関する設定を変更可能な設定項目が制限される第１の撮影モードと、前記第１の撮影モードとは異なる第２の撮影モードとを含む複数の撮影モードのいずれかを設定するモード設定ステップと、
前記第１の撮影モードで起動するか否かを設定する起動設定ステップと、
前記起動設定ステップによって前記第１の撮影モードで起動すると設定されている場合には、電源をオンとする操作に応じて前記撮像装置の前回の電源オフの直前に設定されていた撮影モードにかかわらず、前記第１の撮影モードで起動するように制御するステップと、
前記起動設定ステップによって前記第１の撮影モードで起動すると設定されていない場合には、電源をオンとする操作に応じて前記撮像装置の前回の電源オフの直前に設定されていた撮影モードに基づく撮影モードで起動するように制御するステップと、
を有することを特徴とする撮像装置の制御方法。
【請求項１６】
コンピュータを、請求項１乃至１４のいずれか１項に記載の撮像装置の各手段として機能させるためのプログラム。
【請求項１７】
コンピュータを、請求項１乃至１４のいずれか１項に記載の撮像装置の各手段として機能させるためのプログラムを格納したコンピュータが読み取り可能な記憶媒体。
【発明の詳細な説明】
【技術分野】
【０００１】
本発明は、撮像装置及びその制御方法に関する。
【背景技術】
【０００２】
デジタルカメラなどの撮像装置の高機能化に伴い、撮像装置の機能が増している。撮像装置の機能の増加は、撮像装置に対する操作に慣れたユーザにとっては有益である。以後、「撮像装置に対する操作に慣れたユーザ」を「上級者」と記載する。しかしながら、撮像装置の機能の増加は、撮像装置に対するユーザ操作（ユーザによる操作）の複雑化をまねく。そのため、撮像装置の機能の増加は、撮像装置に対する操作に不慣れなユーザにとって有益でないことがある。以後、「撮像装置に対する操作に不慣れなユーザ」を「初心者」と記載する。例えば、撮像装置に対する操作の複雑化により、撮像装置に対する誤操作を初心者が行うリスクが増す。
【０００３】
このような課題に鑑みた従来技術として、特許文献１に開示の技術では、初心者モードが設定されている場合に、撮像装置に対する一部のユーザ操作が無効化される。一部のユーザ操作が無効化されることにより、撮像装置に対する誤操作を初心者が行うリスクを低減することができる。
【先行技術文献】
【特許文献】
【０００４】
【特許文献１】特開２００８−１３１５３３号公報
【発明の概要】
【発明が解決しようとする課題】
【０００５】
特許文献１に記載された初心者モードは、誤操作を初心者が行うリスクを低減できるものの、上級者にとっては操作を制限することとなり好ましくない。一方、初心者にとっては、他の動作モードにおける誤操作をせずに、他の動作モードから初心者モードに設定変更することも難しい場合がある。
【０００６】
そこで本発明は、操作を制限した動作モードと、そうでない動作モードとを、より適切に使い分けられる技術を提供することを目的とする。
【課題を解決するための手段】
【０００７】
本発明の撮像装置は、
撮影に関する設定を変更可能な設定項目が制限される第１の撮影モードと、前記第１の撮影モードとは異なる第２の撮影モードとを含む複数の撮影モードのいずれかを設定するモード設定手段と、
前記第１の撮影モードで起動するか否かを設定する起動設定手段と、
前記起動設定手段によって前記第１の撮影モードで起動すると設定されている場合には、前記撮像装置の起動時に、前記撮像装置の前回の電源オフの直前に設定されていた撮影モードにかかわらず、前記第１の撮影モードで起動し、
前記起動設定手段によって前記第１の撮影モードで起動すると設定されていない場合には、前記撮像装置の起動時に、前記撮像装置の前回の電源オフの直前に設定されていた撮影モードに基づく撮影モードで起動するように制御する制御手段と、
を有することを特徴とする。
【発明の効果】
【０００８】
本発明によれば、操作を制限した動作モードと、そうでない動作モードとを、より適切に使い分けられる。
【図面の簡単な説明】
【０００９】
【図１】本実施形態に係るデジタルカメラの外観図
【図２】本実施形態に係るデジタルカメラのブロック図
【図３】本実施形態に係るデジタルカメラの起動処理のフローチャート
【図４】本実施形態に係るデジタルカメラの初心者モードのフローチャート
【図５】本実施形態に係るデジタルカメラで表示された画面を示す図
【図６】本実施形態に係るデジタルカメラの通常オートモードのフローチャート
【図７】本実施形態のデジタルカメラのメニュー処理のフローチャート
【図８】本実施形態のデジタルカメラの詳細モードのフローチャート
【図９】本実施形態のデジタルカメラの撮影モード変更処理のフローチャート
【発明を実施するための形態】
【００１０】
以下、本発明の実施形態について説明する。ここでは、デジタルカメラに本発明を適用した場合の例を説明する。
【００１１】
（デジタルカメラの外観）
図１は、本実施形態に係るデジタルカメラ１００の外観の一例を示す外観図である。
【００１２】
表示部１０１は、各種画像、各種情報、等を表示する。表示部１０１として、例えば、バックライトユニットと液晶パネルの組み合わせを、表示部１０１として用いることができる。
【００１３】
電源スイッチ１０２は、デジタルカメラ１００が起動しているオン状態と、デジタルカメラ１００が起動していないオフ状態との間で、デジタルカメラ１００の電源状態を切り替えるためのユーザ操作を受け付ける。シャッターボタン１０３は、撮影の準備のためのユーザ操作、撮影の実行のためのユーザ操作、等を受け付ける。モード切替スイッチ１０４は、デジタルカメラ１００に設定されている撮影モードを切り替える（変更する）ためのユーザ操作を受け付ける。操作部１０５は、各種ユーザ操作を受け付ける。
【００１４】
接続ケーブル１０６は、デジタルカメラ１００と外部機器を互いに接続するためのケーブルである。接続ケーブル１０６は、デジタルカメラ１００に対して着脱可能である。接続ケーブル１０６として、例えば、ＨＤＭＩケーブル、ＡＶケーブル、ＵＳＢケーブル、等を用いることができる。コネクタ１０７は、接続ケーブル１０６をデジタルカメラ１００に接続するためのとのコネクタである。記録媒体１０８は、各種データを記憶する。記録媒体１０８として、例えば、メモリカード、ハードディスク、等が使用される。記録媒体１０８は、デジタルカメラ１００に対して着脱可能である。記録媒体スロット１０９は、記録媒体１０８が格納されるスロットである。記録媒体スロット１０９に記録媒体１０８が格納されることにより、デジタルカメラ１００が記録媒体１０８と通信可能となる。
【００１５】
（デジタルカメラの構成）
図２は、デジタルカメラ１００の構成例を示すブロック図である。
【００１６】
バリア１１０は、デジタルカメラ１００の撮像系を覆うことにより、撮像系の汚れや破損を防止する。撮像系は、少なくとも撮像レンズ１１１を含む。例えば、撮像系は、撮像レンズ１１１、シャッター１１２、撮像部１１３、等を含む。撮像レンズ１１１は、ズームレンズ、フォーカスレンズ、等を含むレンズ群である。シャッター１１２は、絞り機能を有するシャッターである。
【００１７】
撮像部１１３は、光学像を電気信号（アナログ信号）に変換するＣＣＤやＣＭＯＳ素子などで構成される撮像素子（イメージセンサ）である。
【００１８】
Ａ／Ｄ変換器１１４は、撮像部１１３から出力されたアナログ信号をデジタル信号に変換し、得られたデジタル信号を出力する。
【００１９】
画像処理部１１５は、Ａ／Ｄ変換器１１４から出力された撮像画像（撮像された画像；デジタル信号）、メモリ制御部１１６から出力された画像、等に対して所定の画像処理を施す。所定の画像処理として、例えば、画素間を補う補間画素を生成する補間処理、画像を縮小または拡大するリサイズ処理、画像の色を変換する色変換処理、等が行われる。また、画像処理部１１５は、撮像画像を用いた所定の演算処理を行い、演算結果（所定の演算処理の結果）をシステム制御部１１７へ出力する。システム制御部１１７は、画像処理部１１５から出力された演算結果に基づいて所定の制御処理を行う。
【００２０】
所定の演算処理として、例えば、撮像部１１３に対する露光量を算出する処理、被写体までの距離を算出する処理、撮像画像の色調を判断する処理、等がある。システム制御部１１７は、これら演算処理の結果に基づいて、ＴＴＬ（スルー・ザ・レンズ）方式のＡＦ（オートフォーカス）処理、ＡＥ（自動露出）処理、ＥＦ（フラッシュプリ発光）処理、ＴＴＬ方式のＡＷＢ（オートホワイトバランス）処理、等を行う。これら制御処理では、撮像レンズ１１１の位置、シャッター１１２のシャッター速度、シャッター１１２の絞り、撮像部１１３の変換特性、Ａ／Ｄ変換器１１４の変換特性、画像処理部１１５の所定の画像処理で使用されるパラメータ、等が制御される。
【００２１】
メモリ制御部１１６は、メモリ１１８に対する画像の書き込み、メモリ１１８からの画像の読み出し、記録媒体１０８に対する画像の書き込み、記録媒体１０８からの画像の読み出し、等を行う。メモリ制御部１１６は、メモリから読み出した画像に所定の画像処理を施す必要がある場合に、読み出した画像を画像処理部１１５へ出力する。
【００２２】
Ａ／Ｄ変換器１１４から出力された撮像画像は、画像処理部１１５とメモリ制御部１１６を介して、または、メモリ制御部１１６を介して、メモリ１１８に書き込まれる。メモリ１１８は、デジタル信号である各種画像（撮像画像、表示部１０１で表示される他の画像、等）を記憶する。メモリ１１８は、所定枚数の静止画、所定時間の動画、所定時間の音声、等を記憶するのに十分な記憶容量を有する。また、メモリ１１８は、表示用のメモリ（ビデオメモリ）を兼ねている。
【００２３】
Ｄ／Ａ変換器１１９は、メモリ１１８から、メモリ制御部１１６を介して、表示用の画像であるデジタル信号を取得し、取得したデジタル信号をアナログ信号に変換し、得られたアナログ信号を表示部１０１に供給する。そして、表示部１０１は、Ｄ／Ａ変換器１１９から供給されたアナログ信号に応じて画像を表示する。即ち、メモリ１１８に書き込まれた表示用の画像が、表示部１０１で表示される。
【００２４】
ライブビュー表示の実現方法を説明する。ライブビュー表示は、ライブビュー画像を表示部１０１がリアルタイムで表示する処理である。ライブビュー表示が行われることにより、表示部１０１を電子ビューファインダとして用いることができる。まず、撮像部１１３によって所定の撮像レートで撮像され、Ａ／Ｄ変換器１１４によってＡ／Ｄ変換されたデジタル信号が、メモリ１１８に記録される。次に、Ｄ／Ａ変換器１１９が、メモリ１１８から、メモリ制御部１１６を介して、撮像画像のデジタル信号を取得し、取得したデジタル信号をアナログ信号に変換し、得られたアナログ信号を表示部１０１に供給する。そして、表示部１０１は、Ｄ／Ａ変換器１１９から供給されたアナログ信号に応じて画像（
ライブビュー画像）を表示する。これらの処理がリアルタイムで逐次行わることにより、ライブビュー表示が実現される。
【００２５】
Ａ／Ｄ変換器１１４から出力された撮像画像は、画像処理部１１５、メモリ制御部１１６、及び、記録媒体Ｉ／Ｆ１２０を介して、または、メモリ制御部１１６と記録媒体Ｉ／Ｆ１２０を介して、記録媒体１０８に書き込まれる。記録媒体Ｉ／Ｆ１２０は、記録媒体１０８をデジタルカメラ１００に接続するためのインターフェースである。記録媒体１０８として、例えば、半導体メモリ、磁気ディスク、光ディスク、等を用いることができる。
【００２６】
不揮発性メモリ１２１は、電気的にデータを記憶したり、記憶しているデータを電気的に消去したりすることのできるメモリである。不揮発性メモリ１２１として、例えば、ＥＥＰＲＯＭなどを用いることができる。不揮発性メモリ１２１には、システム制御部１１７の動作用のパラメータ、システム制御部１１７の動作用のプログラム、等が格納される。システム制御部１１７の動作用のプログラムは、例えば、後述する各種処理を実現するためのコンピュータプログラムである。
【００２７】
システム制御部１１７は、少なくとも１つのプロセッサを有する制御部であり、デジタルカメラ１００が有する各機能部の処理、デジタルカメラ１００が有する各機能部の状態、等を制御する。例えば、システム制御部１１７は、メモリ制御部１１６、Ｄ／Ａ変換器１１９、表示部１０１、等に対する制御を行うことにより、表示部１０１の表示を制御する。システム制御部１１７は、不揮発性メモリ１２１に記録されたプログラムを実行することで、後述する各処理を実現する。
【００２８】
システムメモリ１２２は、データを一時的に記憶するメモリ（ワークメモリ）である。システムメモリ１２２として、例えば、ＲＡＭを用いることができる。システムメモリ１２２には、システム制御部１１７の動作用のパラメータ（定数や変数）、不揮発性メモリ１２１から読み出されたプログラム、等が展開される。
【００２９】
システムタイマー１２３は、各種制御に用いる時間、内蔵された時計の時刻、等を計測する計時部である。
【００３０】
モード切替スイッチ１０４は、モード切替スイッチ１０４に対するユーザ操作に応じて、デジタルカメラ１００に設定されている撮影モードの切り替えのための指示を、システム制御部１１７へ出力する。システム制御部１１７は、モード切替スイッチ１０４からの指示に応じて、複数の撮影モードのいずれかを設定する。換言すれば、システム制御部１１７は、設定されている撮影モードを、モード切替スイッチ１０４からの指示に応じた撮影モードへ切り替える。撮影モードとして、静止画記録モード、動画記録モード、等がある。
【００３１】
静止画記録モードは、例えば、オート撮影モード、オートシーン判別モード、マニュアルモード、絞り優先モード（Ａｖモード）、シャッター速度優先モード（Ｔｖモード）、等を含む。また、静止画記録モードは、複数のシーン（撮像環境）に対応する複数のシーンモード、プログラムＡＥモード、カスタムモード、等も含む。モード切替スイッチ１０４に対するユーザ操作により、静止画記録モードに含まれる上記複数の撮影モードのいずれかを直接設定することができる。静止画記録モードに含まれる複数の撮影モードの一覧画面がモード切替スイッチ１０４に対するユーザ操作に応じて表示された後、他の操作部に対するユーザ操作に応じて当該複数の動作モードのいずれかが設定されてもよい。同様に、動画記録モードに複数の動作モードが含まれてもよい。
【００３２】
シャッターボタン１０３は、シャッターボタン１０３に対するユーザ操作に応じて、撮影の準備のための指示、撮影の実行のための指示、等を、システム制御部１１７へ出力する。シャッターボタン１０３は、第１シャッタースイッチ１０３ａと第２シャッタースイッチ１０３ｂを有する。
【００３３】
第１シャッタースイッチ１０３ａは、シャッターボタン１０３に対する第１のユーザ操作に応じて、第１シャッタースイッチ信号ＳＷ１（撮影の準備のための指示）をシステム制御部１１７へ出力する。第１のユーザ操作は、例えば、シャッターボタン１０３の状態を半押し状態にするユーザ操作である。システム制御部１１７は、第１シャッタースイッチ信号ＳＷ１に応じて、ＡＦ処理、ＡＥ処理、ＡＷＢ処理、ＥＦ処理、等を行う。
【００３４】
第２シャッタースイッチ１０３ｂは、シャッターボタン１０３に対する第２のユーザ操作に応じて、第２シャッタースイッチ信号ＳＷ２（撮影の実行のための指示）をシステム制御部１１７へ出力する。第２のユーザ操作は、例えば、シャッターボタン１０３の状態を全押し状態にする操作である。システム制御部１１７は、第２シャッタースイッチ信号ＳＷ２に応じて、撮影のための処理を行う。即ち、第２シャッタースイッチ信号ＳＷ２に応じて撮影が行われる。
【００３５】
操作部１０５は複数の操作部材を有する。各操作部材は、操作部材に対するユーザ操作に応じた指示を、システム制御部１１７へ出力する。システム制御部１１７は、操作部１０５からの指示に応じた処理を行う。表示部１０１によって表示された各種機能アイコンを選択するユーザ操作などに応じて、各操作部材に機能が割り当てられたり、各操作部材に割り当てられた機能が変更されたりする。操作部材に機能が割り当てられることにより、例えば、操作部材は、割り当てられた機能を有する機能ボタンとして作用する。機能ボタンとして、例えば、終了ボタン、戻るボタン、画像送りボタン、ジャンプボタン、絞込みボタン、属性変更ボタン、等がある。
【００３６】
操作部１０５は、例えば、メニューボタン、上ボタン、下ボタン、左ボタン、右ボタン、ＳＥＴボタン、等を有する。メニューボタンに対するユーザ操作に応じて、各種設定のためのメニュー画面が表示部１０１で表示される。ユーザは、メニュー画面、上ボタン、下ボタン、左ボタン、右ボタン、ＳＥＴボタン、等を用いて、各種設定のためのユーザ操作を直感的に行うことができる。例えば、上ボタン、下ボタン、左ボタン、右ボタン、及び、ＳＥＴボタンに対するユーザ操作に応じて、設定項目が選択されたり、設定項目の設定が変更されたりする。
【００３７】
操作部１０５は、コントローラホイールを有する。コントローラホイールは、回転操作可能な操作部材である。コントローラホイールも、設定項目の選択、設定の変更、等のために使用される。コントローラホイールに対応する回転操作が行われると、操作量に応じた電気的なパルス信号が発生する。そして、システム制御部１１７は、発生したパルス信号に基づいて処理を行う。システム制御部１１７は、発生したパルス信号から、回転操作の回転角度、回転操作の回転数、等を判断してもよい。そして、システム制御部１１７は、回転角度、回転数、等に基づいて処理を行ってもよい。
【００３８】
なお、コントローラホイールが回転操作を検出可能な操作部材であれば、コントローラホイールの構成は特に限定されない。例えば、コントローラホイールは、回転可能なダイヤル操作部材であってもよい。その場合には、ユーザは、コントローラホイールを回転させる操作を、上記回転操作として行うことができる。コントローラホイールは、回転不可能な操作部材であってもよく、コントローラホイールに対する指の接触、接触した指の動き、等を検出するタッチセンサを有する操作部材（いわゆるタッチホイール）であってもよい。その場合には、ユーザは、コントローラホイールをなぞる操作を、上記回転操作と
して行うことができる。
【００３９】
電源制御部１２４は、必要な電力（電圧、電流、等）を、デジタルカメラ１００の各機能部へ供給する。本実施形態では、電源制御部１２４は、必要な電力を記録媒体１０８へも供給する。具体的には、電源制御部１２４は、電源検出回路、ＤＣ−ＤＣコンバータ、電力が供給される機能部を切り替えるスイッチ回路、等を有する。電源検出回路は、デジタルカメラ１００に対する電源１２５の装着の有無、デジタルカメラ１００に装着された電源１２５の種類、デジタルカメラ１００に装着された電源１２５である電池（バッテリー）の残容量、等を検出する。また、電源制御部１２４は、上記検出の結果、システム制御部１１７からの指示、等に基づいてＤＣ−ＤＣコンバータを制御することにより、必要な期間に、必要な電圧を、記録媒体１０８を含む各機能部へ供給する。
【００４０】
電源１２５は、デジタルカメラ１００に対して着脱可能な電源であり、アルカリ電池やリチウム電池等の一次電池やＮｉＣｄ電池やＮｉＭＨ電池、Ｌｉ電池等の二次電池、ＡＣアダプター等からなる。
【００４１】
電源スイッチ１０２は、電源スイッチ１０２に対するユーザ操作に応じて、デジタルカメラ１００の電源状態の切り替えのための指示を、システム制御部１１７へ出力する。具体的には、デジタルカメラ１００が起動していない場合には、電源スイッチ１０２は、電源スイッチ１０２に対するユーザ操作に応じて、デジタルカメラ１００の起動のための指示を、システム制御部１１７へ出力する。そして、システム制御部１１７は、デジタルカメラ１００を起動する処理を行う。例えば、システム制御部１１７は、電力供給の開始を電源制御部１２４へ出力する。そして、電源制御部１２４は、デジタルカメラ１００の各機能部に対する電力の供給を開始する。デジタルカメラ１００が起動している場合には、電源スイッチ１０２は、電源スイッチ１０２に対するユーザ操作に応じて、デジタルカメラ１００の動作停止のための指示を、システム制御部１１７へ出力する。そして、システム制御部１１７は、デジタルカメラ１００の動作を停止する処理を行う。例えば、システム制御部１１７は、電力供給の終了を電源制御部１２４へ出力する。そして、電源制御部１２４は、デジタルカメラ１００の各機能部に対する電力の供給を終了する。
【００４２】
通信部１２６は、無線または有線で接続された外部機器との通信を行う。例えば、通信部１２６と外部機器との間で、画像の送受信、音声の送受信、その他の各種情報の送受信、等が行われる。具体的には、通信部１２６は、撮像画像、記録媒体１０８に記録された画像、等を送信することができる。通信部１２６は、画像、その他の各種情報、等を外部機器から受信することができる。無線ＬＡＮ（Ｌｏｃａｌ  Ａｒｅａ  Ｎｅｔｗｏｒｋ）、インターネット、等に通信部１２６を接続することもできる。無線での通信として、例えば、Ｗｉ−Ｆｉ、ＢｌｕｅＴｏｏｔｈ、等に基づく通信が行われる。
【００４３】
姿勢検知部１２７は、重力方向に対するデジタルカメラ１００の姿勢を検知する。姿勢検知部１２７で検知された姿勢に基づいて、撮像画像が、デジタルカメラ１００を横に構えて得られた画像であるか、デジタルカメラ１００を縦に構えて得られた画像であるか、等を判断することができる。システム制御部１１７は、姿勢検知部１２７で検知された姿勢に応じた向き情報を撮像画像の画像ファイルに付加することができる。システム制御部１１７は、姿勢検知部１２７で検知された姿勢に応じて、撮像画像の向きを回転することもできる。姿勢検知部１２７としては、例えば、加速度センサ、ジャイロセンサ、等を用いることができる。
【００４４】
（起動処理）
図３を用いて、本実施形態に係る起動処理の一例を説明する。図３は、本実施形態に係る起動処理の一例を示すフローチャートである。例えば、電源スイッチ１０２に対するユ
ーザ操作（電源をオンとする操作）が行われ、デジタルカメラ１００の電源状態がオフ状態からオン状態に切り替わると、デジタルカメラ１００は、図３の起動処理を開始する。
【００４５】
本実施形態では、初心者モードでデジタルカメラ１００を起動するか否かが設定可能である。まず、Ｓ３０１にて、システム制御部１１７は、初心者モードでデジタルカメラ１００を起動することが設定されているか否かを判断する。初心者モードでデジタルカメラ１００を起動することが設定されている、と判断された場合には、Ｓ３０２へ処理が進められ、そうでない場合には、Ｓ３０４へ処理が進められる。
【００４６】
例えば、初心者モードでデジタルカメラ１００を起動するか否かの設定状態を示す起動設定情報が不揮発性メモリ１２１に記録されており、システム制御部１１７は、不揮発性メモリ１２１から起動設定情報を読み出す。そして、システム制御部１１７は、読み出した起動設定情報を用いて、初心者モードでデジタルカメラ１００を起動することが設定されているか否かを判断する。なお、システム制御部１１７は、記録媒体１０８、不揮発性メモリ１２１、等から起動設定情報を読み出し、且つ、読み出した起動設定情報をメモリ１１８に記録する処理を予め行ってもよい。そして、システム制御部１１７は、起動設定情報をメモリ１１８から読み出して使用してもよい。
【００４７】
初心者モードは、デジタルカメラ１００に対する操作に不慣れなユーザ向けの撮影モードである。以後、「デジタルカメラ１００に対する操作に不慣れなユーザ」を「初心者」と記載する。具体的には、初心者モードは、撮影に関する設定を変更可能な設定項目が制限される撮影モードである。具体的には、初心者モードは、所定の操作部材に対するユーザ操作が無効化される撮影モードである。一部の設定項目、一部のユーザ操作、等が無効化されることにより、デジタルカメラ１００に対する誤ったユーザ操作を防ぐことができ、誤ったユーザ操作による意図せぬ設定変更を防ぐことができる。なお、静止画記録モードに初心者モードが含まれていてもよいし、動画記録モードに初心者モードが含まれていてもよい。静止画記録モードと動画記録モードの両方に初心者モードが含まれていてもよい。
【００４８】
Ｓ３０２にて、システム制御部１１７は、初心者モードで使用される各種設定（フラグ、制御変数、等）を初期化する（初心者モードの初期設定）。具体的には、システム制御部１１７は、デジタルカメラ１００の前回の動作時における各種設定の情報を、不揮発性メモリ１２１などから読み出し、初期化する。設定が初期設定から変更されていたとしても、初心者モードでデジタルカメラ１００を起動する場合には、Ｓ３０２の処理により、設定が初期化される。その後、Ｓ３０３へ処理が進められる。
【００４９】
Ｓ３０３にて、システム制御部１１７は、初心者モードを設定する。そして、起動処理が終了される。
【００５０】
このように、初心者モードでデジタルカメラ１００を起動することが設定されている場合には、デジタルカメラ１００の起動時に前回の撮影モードに拘らず初心者モードが設定されるように、撮影モードの設定が制御される。前回の撮影モードは、具体的には、デジタルカメラ１００の前回の動作停止時に設定されていた撮影モード（前回の電源オフの直前に設定されていた撮影モード）である。デジタルカメラ１００の起動時に初心者モードが設定されるため、初心者はより確実に初心者モードを利用することができる。それにより、デジタルカメラ１００に対する誤ったユーザ操作をより確実に防ぐことができ、誤ったユーザ操作による意図せぬ設定変更をより確実に防ぐことができる。なお、デジタルカメラ１００の起動時に常に初心者モードが設定されてもよい。
【００５１】
Ｓ３０４にて、システム制御部１１７は、各種設定（フラグ、制御変数、等）の初期設
定を行う（通常の初期設定）。具体的には、システム制御部１１７は、デジタルカメラ１００の前回の動作停止時における各種設定の情報を不揮発性メモリ１２１などから読み出し、読み出した情報に応じた設定を行う。その後、Ｓ３０５へ処理が進められる。
【００５２】
Ｓ３０５にて、システム制御部１１７は、前回の撮影モードを判断する。前回の撮影モードが初心者モードまたは通常オートモードである、と判断された場合には、Ｓ３０６へ処理が進められ、そうでない場合には、Ｓ３０７へ処理が進められる。
【００５３】
例えば、前回の撮影モードを示すモード設定情報が不揮発性メモリ１２１に記録されており、システム制御部１１７は、不揮発性メモリ１２１からモード設定情報を読み出す。そして、システム制御部１１７は、読み出したモード設定情報を用いて前回の撮影モードを判断する。なお、システム制御部１１７は、記録媒体１０８、不揮発性メモリ１２１、等からモード設定情報を読み出し、且つ、読み出したモード設定情報をメモリ１１８に記録する処理を予め行ってもよい。そして、システム制御部１１７は、モード設定情報をメモリ１１８から読み出して使用してもよい。
【００５４】
通常オートモードは、デジタルカメラ１００に対する操作に或る程度慣れたユーザ向けの撮影モードである。以後、「デジタルカメラ１００に対する操作に或る程度慣れたユーザ」を「中級者」と記載する。本実施形態では、初心者モードで複数の設定項目が無効化される。そして、通常オートモードでは、初心者モードで無効化される複数の設定項目よりも少ない数の設定項目が無効化される。なお、静止画記録モードに通常オートモードが含まれていてもよいし、動画記録モードに通常オートモードが含まれていてもよい。静止画記録モードと動画記録モードの両方に通常オートモードが含まれていてもよい。
【００５５】
詳細モードは、デジタルカメラ１００に対する操作にだいぶ慣れたユーザ向けの撮影モードである。以後、「デジタルカメラ１００に対する操作にだいぶ程度慣れたユーザ」を「上級者」と記載する。具体的には、詳細モードは、シャッター速度優先モード、オートシーン判別モード、Ｐモード（プログラムＡＥモード）、等である。シャッター速度優先モードでは、システム制御部１１７は、ユーザ操作に応じてシャッター速度値を設定し、他の撮像パラメータ（絞り値、ＩＳＯ感度値、等）を自動で設定する。オートシーン判別モードでは、システム制御部１１７は、現在のシーンに対応する撮像パラメータ（シャッター速度値、絞り値、ＩＳＯ感度値、等）を自動で設定する。プログラムＡＥモードでは、システム制御部１１７は、自動で設定した撮像パラメータを、ユーザ操作に応じて調整する。
【００５６】
Ｓ３０６にて、システム制御部１１７は、通常オートモードを設定する。そして、起動処理が終了される。Ｓ３０７にて、システム制御部１１７は、詳細モードを設定する。そして、起動処理が終了される。
【００５７】
このように、初心者モードでデジタルカメラ１００を起動しないことが設定されている場合には、デジタルカメラ１００の起動時に前回の撮影モードに基づく撮影モードが設定されるように、撮影モードの設定が制御される。デジタルカメラ１００の起動時に前回の撮影モードに基づく撮影モードが設定されるため、初心者だけでなく、中級者、上級者、等にとっても好適な撮影モードでデジタルカメラ１００を起動することができる。それにより、デジタルカメラ１００の利便性が向上する。例えば、デジタルカメラ１００の動作を停止しても、中級者、上級者、等の好みに合った撮影モードを維持できたり、中級者、上級者、等の好みに合った各種設定を維持できたりする。
【００５８】
なお、前回の撮影モードに基づく撮影モードは、上述した撮影モードに限られない。例えば、前回の撮影モードが初心者モードである場合には、デジタルカメラ１００の起動時
に初心者モードが設定されてもよい。前回の撮影モードが通常オートモードである場合には、デジタルカメラ１００の起動時に初心者モードが設定されてもよい。前回の撮影モードに基づく撮影モードとして、通常オートモードと詳細モードとは異なる撮影モードが設定されてもよい。複数の撮影モードは、通常オートモードと詳細モードの少なくとも一方を含んでいなくてもよい。
【００５９】
（初心者モード）
図４を用いて、本実施形態に係る初心者モードでの処理の一例を説明する。図４は、本実施形態に係る初心者モードでの処理の一例を示すフローチャートである。
【００６０】
まず、Ｓ４０１にて、システム制御部１１７は、ライブビュー表示が開始されるよう制御する。ライブビュー表示によって表示された画面（ライブビュー画面）には、ライブビュー画像が含まれる。また、ライブビュー画面には、各種情報を示すグラフィック画像（アイコン、テキスト、等）がさらに含まれることもある。例えば、ライブビュー画面には、設定されている撮影モードを示すグラフィック画像、バッテリーの残容量を示すグラフィック画像、記録媒体１０８の残容量を示すグラフィック画像、等が含まれる。グラフィック画像では、記録媒体１０８の残容量の代わりに、記録可能な静止画の残数、記録可能な動画の残り時間、等が示されてもよい。図５（Ａ）は、ライブビュー画面の一例を示す。その後、Ｓ４０２へ処理が進められる。
【００６１】
Ｓ４０２にて、システム制御部１１７は、ユーザに対する第１の通知が行われるよう制御する。第１の通知は、初心者モードが設定されていることの通知、初心者モードの解除方法の通知、等である。本実施形態では、システム制御部１１７は、予め定められた第１のグラフィック画像（アイコン、テキスト、等）がライブビュー画面上に所定時間だけ表示されるよう制御する。第１のグラフィック画像が表示されることにより、第１の通知が実現される。図５（Ｂ）は、第１のグラフィック画像が表示された状態におけるライブビュー画面の一例を示す。図５（Ｂ）の例では、第１のグラフィック画像として、「初心者モードが設定されています。［ＡＵＴＯ］を押したままにすると解除できます。」というテキスト（ガイダンスダイアログ）が表示されている。ユーザは、図５（Ｂ）の上記テキストを確認することにより、初心者モードでデジタルカメラ１００が起動したこと、操作部１０５のＡＵＴＯボタン（特定のボタン）を押し続けることで初心者モードを解除できること、等を把握することができる。その後、Ｓ４０３へ処理が進められる。
【００６２】
なお、第１のグラフィック画像は、上記テキストに限られない。第１の通知は、第１のグラフィック画像の表示でなくてもよい。第１の通知は、音声による通知、表示部とは異なるランプからの光による通知、等であってもよい。また、初心者モードの解除方法は、上記方法に限られない。ＡＵＴＯボタンとは異なるボタンに対するユーザ操作によって初心者モードが解除されてもよい。
【００６３】
Ｓ４０３にて、システム制御部１１７は、ユーザ操作が行われたか否かを判断する。ユーザ操作は、ボタン押下、レバー操作、等を含む。表示部１０１が、タッチパネルなどを有する場合には、表示部１０１によって表示された画像（ＧＵＩボタンなど）に対する各種タッチ操作も、上記ユーザ操作に含まれる。タッチ操作は、タップ操作、長時間タッチ操作（タップ操作よりも接触時間が長い操作）、フリック操作、ピンチ操作、スワイプ操作、ドラッグ操作、等を含む。なお、デジタルカメラ１００に対する外部機器の接続、通信部１２６による通信（デジタルカメラ１００と外部機器の間の通信）の開始、等が、ユーザ操作として検出されてもよい。ユーザ操作が行われたと判断されるまで、Ｓ４０３の処理が繰り返される。そして、ユーザ操作が行われたと判断されると、Ｓ４０４へ処理が進められる。
【００６４】
Ｓ４０４にて、システム制御部１１７は、行われたユーザ操作が電源オフ操作（デジタルカメラ１００の電源状態をオフ状態へ切り替えるためのユーザ操作）であるか否かを判断する。電源オフ操作は、例えば、電源スイッチ１０２に対するユーザ操作である。行われたユーザ操作が電源オフ操作であると判断された場合にはＳ４０５へ処理が進められ、行われたユーザ操作が電源オフ操作でないと判断された場合にはＳ４０６へ処理が進められる。
【００６５】
Ｓ４０５にて、システム制御部１１７は、所定の停止処理（電源オフの処理）を行う。停止処理は、デジタルカメラ１００の動作を停止する処理である。停止処理は、表示部１０１による表示を停止する処理、撮像系が覆われる（保護される）ようにバリア１１０を閉じる処理、等を含む。停止処理は、各種設定（フラグ、制御変数、撮影モード、等）の情報を不揮発性メモリ１２１に記録する処理、所定の機能部への電力供給を停止する処理、等も含む。そして、初心者モードでの処理が終了される。
【００６６】
Ｓ４０６にて、システム制御部１１７は、行われたユーザ操作が初心者モード解除操作（初心者モードを解除するためのユーザ操作）であるか否かを判断する。本実施形態では、初心者モード解除操作は、ＡＵＴＯボタンを所定時間（例えば２秒）以上押し続けるユーザ操作（すなわち長押し）である。行われたユーザ操作が初心者モード解除操作であると判断された場合にはＳ４０７へ処理が進められ、そうでない場合にはＳ４１１へ処理が進められる。なお、外部機器に関する情報の設定を可能にするために、デジタルカメラ１００に対する外部機器の接続、通信部１２６による通信（デジタルカメラ１００と外部機器の間の通信）の開始、等が、初心者モード解除操作として判断されてもよい。例えば、テレビモニタのビデオ出力方式の設定を可能にするために、デジタルカメラ１００に対する外部機器の接続、通信部１２６による通信の開始、等が、初心者モード解除操作として判断されてもよい。
【００６７】
Ｓ４０７にて、システム制御部１１７は、初心者モードを解除し、ユーザに対する第２の通知が行われるよう制御する。第２の通知は、初心者モードが解除されたことの通知などである。本実施形態では、システム制御部１１７は、予め定められた第２のグラフィック画像（アイコン、テキスト、等）がライブビュー画面上に所定時間だけ表示されるよう制御する。第２のグラフィック画像が表示されることにより、第２の通知が実現される。図５（Ｃ）は、第２のグラフィック画像が表示された状態におけるライブビュー画面の一例を示す。図５（Ｃ）の例では、第２のグラフィック画像として、「初心者モードを解除しました。」というテキストが表示されている。ユーザは、図５（Ｃ）の上記テキストを確認することにより、初心者モードが解除されたことなどを把握することができる。その後、Ｓ４０８へ処理が進められる。
【００６８】
なお、第２のグラフィック画像は、上記テキストに限られない。第２の通知は、第２のグラフィック画像の表示でなくてもよい。第２の通知は、音声による通知、表示部とは異なるランプからの光による通知、等であってもよい。
【００６９】
Ｓ４０８にて、システム制御部１１７は、初心者モードでデジタルカメラ１００を起動することが設定されているか否かを判断する。初心者モードでデジタルカメラ１００を起動することが設定されている、と判断された場合には、Ｓ４０９へ処理が進められ、そうでない場合には、Ｓ４１０へ処理が進められる。
【００７０】
Ｓ４０９にて、システム制御部１１７は、ユーザに対する第３の通知が行われるよう制御する。第３の通知は、初心者モードでデジタルカメラ１００を起動することが設定されていることの通知、初心者モードでデジタルカメラ１００を起動するか否かの設定が変更可能であることの通知、等である。第３の通知は、初心者モードでデジタルカメラ１００
を起動するか否かの設定の変更方法の通知を含んでもよい。本実施形態では、システム制御部１１７は、予め定められた第３のグラフィック画像（アイコン、テキスト、等）がライブビュー画面上に所定時間だけ表示されるよう制御する。第３のグラフィック画像が表示されることにより、第３の通知が実現される。図５（Ｄ）は、第３のグラフィック画像が表示された状態におけるライブビュー画面の一例を示す。図５（Ｄ）の例では、第３のグラフィック画像として、「起動したときに初心者モードになるように設定されています。メニューで設定を変えることができます。」というテキスト（ガイダンスダイアログ）が表示されている。ユーザは、図５（Ｄ）の上記テキストを確認することにより、初心者モードでデジタルカメラ１００を起動することが設定されていること、初心者モードでデジタルカメラ１００を起動するか否かの設定が変更可能であること、等を把握することができる。また、ユーザは、初心者モードでデジタルカメラ１００を起動するか否かの設定の変更方法（操作方法）も把握することができる。具体的には、ユーザは、操作部１０５のメニューボタンに対するユーザ操作によって上記設定を変更できることを把握できる。その後、Ｓ４１０へ処理が進められる。
【００７１】
なお、第３のグラフィック画像は、上記テキストに限られない。第３の通知は、第３のグラフィック画像の表示でなくてもよい。第３の通知は、音声による通知、表示部とは異なるランプからの光による通知、等であってもよい。
【００７２】
Ｓ４１０にて、システム制御部１１７は、通常オートモードを設定する。そして、初心者モードでの処理が終了される。このように、本実施形態では、初心者モードが解除されると、通常オートモードが設定される。即ち、初心者モードが設定されている場合には、設定されている撮影モードを通常オートモードへ切り替えることができる。
【００７３】
Ｓ４１１にて、システム制御部１１７は、行われたユーザ操作が撮影操作であるか否かを判断する。撮影操作は、静止画または動画の撮影の実行に関する操作である。例えば、撮影操作は、シャッターボタン１０３に対するユーザ操作である。行われたユーザ操作が撮影操作であると判断された場合にはＳ４１２へ処理が進められ、そうでない場合にはＳ４１３へ処理が進められる。Ｓ４１２にて、システム制御部１１７は、撮影操作に応じた撮影処理（撮影の準備ための処理、撮影のための処理、等）を行う。例えば、第１シャッタースイッチ信号ＳＷ１に応じた処理、第２シャッタースイッチ信号ＳＷ２に応じた処理、等が、撮影処理として行われる。その後、Ｓ４０３へ処理が戻される。
【００７４】
Ｓ４１３にて、システム制御部１１７は、行われたユーザ操作がフラッシュ切替操作であるか否かを判断する。フラッシュ切替操作は、撮影時における露光量に関するユーザ操作である。例えば、フラッシュ切替操作は、撮影時に被写体を照らす発光部（ストロボ）の発光、シャッター速度、等を変えるためのユーザ操作である。具体的には、フラッシュ切替操作は、操作部１０５のフラッシュ切替ボタンに対するユーザ操作である。行われたユーザ操作がフラッシュ切替操作であると判断された場合にはＳ４１４へ処理が進められ、そうでない場合にはＳ４１５へ処理が進められる。Ｓ４１４にて、システム制御部１１７は、フラッシュ切替操作に応じたフラッシュ切替処理を行う。例えば、オート発光、常時発光、スローシンクロ、発光禁止、等のいずれかを設定する処理が、フラッシュ切替処理として行われる。オート発光では、シーン（撮像環境）に応じて撮影時におけるストロボの発光（発光量、発光パターン、等）が自動で制御される。常時発光では、常にストロボが発光する。スローシンクロでは、全体的に明るい撮像画像の撮影のためにシャッター速度が低減される。発光禁止では、ストロボを発光させずに撮影が行われる。その後、Ｓ４０３へ処理が戻される。
【００７５】
Ｓ４１５にて、システム制御部１１７は、行われたユーザ操作がズーム操作であるか否かを判断する。ズーム操作は、撮影における被写体の倍率に関するユーザ操作である。例
えば、ズーム操作は、操作部１０５のズームボタンに対するユーザ操作である。行われたユーザ操作がズーム操作であると判断された場合にはＳ４１６へ処理が進められ、そうでない場合にはＳ４１７へ処理が進められる。Ｓ４１６にて、システム制御部１１７は、ズーム操作に応じたズーム処理を行う。例えば、上記倍率を高めるズームイン処理、上記倍率を低減するズームアウト処理、等が、ズーム処理として行われる。ズーム処理は、撮像レンズ１１１の位置を制御することで焦点距離を変更する処理、撮像画像の画像サイズを変更する処理、等である。その後、Ｓ４０３へ処理が戻される。
【００７６】
Ｓ４１７にて、システム制御部１１７は、行われたユーザ操作が再生・編集操作であるか否かを判断する。再生・編集操作は、動作モードを、撮影モードから、撮影された画像（静止画または動画）を再生する再生モード（あるいは編集モード）へ遷移させる操作である。例えば、再生・編集操作は、操作部１０５の再生ボタンに対するユーザ操作である。行われたユーザ操作が再生・編集操作であると判断された場合にはＳ４１８へ処理が進められ、行われたユーザ操作が再生・編集操作でないと判断された場合にはＳ４１９へ処理が進められる。Ｓ４１８にて、システム制御部１１７は、再生モードに切り替え、再生・編集処理を行う。例えば、シングル再生処理、スライドショー再生処理、トリミング処理、リサイズ処理、画像削除処理、画像保護切替処理、画像回転処理、等が、再生モードで行われる。シングル再生処理は、撮影された１つの画像を表示する処理である。スライドショー再生処理は、撮影された複数の画像を順に表示する処理である。トリミング処理は、撮影された画像から一部の画像領域を切り出して記録する処理である。リサイズ処理は、撮影された画像の画像サイズを変更（拡大または縮小）する処理である。画像削除処理は、撮影された画像を削除する処理である。画像保護切替処理は、撮影された画像の状態を、当該画像を削除可能な非保護状態と、当該画像を削除不可能な保護状態との間で切り替える処理である。画像回転処理は、撮影された画像の向きを回転する処理である。その後、Ｓ４０３へ処理が戻される。
【００７７】
Ｓ４１９にて、システム制御部１１７は、行われたユーザ操作が通信操作であるか否かを判断する。通信操作は、外部機器との通信に関するユーザ操作である。例えば、通信操作は、撮影された画像（静止画または動画）をデジタルカメラ１００と外部機器との間で送受信する通信に関するユーザ操作である。具体的には、通信操作は、操作部１０５の通信ボタンに対するユーザ操作である。行われたユーザ操作が通信操作であると判断された場合にはＳ４２０へ処理が進められ、そうでない場合にはＳ４２１へ処理が進められる。Ｓ４２０にて、システム制御部１１７は、通信操作に応じた通信処理を行う。例えば、撮影された画像を外部機器へ送信する処理が、通信処理として行われる。その後、Ｓ４０３へ処理が戻される。
【００７８】
Ｓ４２１にて、システム制御部１１７は、ユーザに対する第４の通知が行われるよう制御する。第４の通知は、初心者モードが設定されているためにユーザ操作が無効化されたことの通知などである。本実施形態では、システム制御部１１７は、予め定められた第４のグラフィック画像（アイコン、テキスト、等）がライブビュー画面上に所定時間だけ表示されるよう制御する。第４のグラフィック画像が表示されることにより、第４の通知が実現される。具体的には、システム制御部１１７は、第４の通知のための制御、第１の通知のための制御と同じ制御を行う。即ち、図５（Ｂ）のテキスト（第１のグラフィック画像）を表示する制御が行われる。ユーザは、図５（Ｂ）のテキストを確認することにより、初心者モードが設定されているためにユーザ操作が無効化されたことなどを把握することができる。その後、Ｓ４０３へ処理が戻される。
【００７９】
なお、第４のグラフィック画像は、第１のグラフィック画像と異なっていてもよい。例えば、第４のグラフィック画像として、「初心者モードが設定されているため、操作が無効化されました。」というテキストが使用されてもよい。第４の通知は、第４のグラフィ
ック画像の表示でなくてもよい。第４の通知は、音声による通知、表示部とは異なるランプからの光による通知、等であってもよい。
【００８０】
このように、初心者モードが設定されている場合には、電源オフ操作、初心者モード解除操作、撮影操作、フラッシュ切替操作、ズーム操作、再生モードへの遷移操作、及び、通信操作のみが有効とされ、それら以外のユーザ操作が無効とされる。
【００８１】
そして、初心者モードでは、初心者が行う可能性の低い操作が受け付けられないため、初心者による誤操作を防ぐことができる。さらに、初心者モードでは、初心者が行う可能性の高い操作が受け付けられるため、初心者はデジタルカメラ１００に対する所望の操作を行うことができる。その結果、初心者にとって利便性が高いデジタルカメラ１００を実現することができる。
【００８２】
また、中級者と上級者は、図５（Ｂ）のテキスト（ガイダンスダイアログ）に従って初心者モード解除操作を行うことにより、通常オートモードでデジタルカメラ１００を使用することができる。そのため、中級者と上級者にとっても利便性が高いデジタルカメラ１００を実現することができる。
【００８３】
また、初心者モードでは、初心者モードでデジタルカメラ１００を起動するか否かの設定を変更できない。それにより、初心者モードでデジタルカメラ１００が起動されなくなることを防ぐことができ、初心者にとってより利便性が高いデジタルカメラ１００を実現することができる。
【００８４】
なお、上述した設定項目（ユーザ操作）はあくまで一例であり、初心者モードが設定されている場合において有効とされる設定項目、初心者モードが設定されている場合において無効とされる設定項目、等は特に限定されない。
【００８５】
（通常オートモード）
図６を用いて、本実施形態に係る通常オートモードでの処理の一例を説明する。図６は、本実施形態に係る通常オートモードでの処理の一例を示すフローチャートである。
【００８６】
まず、Ｓ６０１にて、システム制御部１１７は、ライブビュー表示が開始されるよう制御する。その後、Ｓ６０２へ処理が進められる。Ｓ６０２にて、システム制御部１１７は、ユーザ操作が行われたか否かを判断する。ユーザ操作が行われたと判断されるまで、Ｓ６０２の処理が繰り返される。そして、ユーザ操作が行われたと判断されると、Ｓ６０３へ処理が進められる。
【００８７】
Ｓ６０３にて、システム制御部１１７は、行われたユーザ操作が電源オフ操作であるか否かを判断する。行われたユーザ操作が電源オフ操作であると判断された場合にはＳ６０４へ処理が進められ、そうでない場合にはＳ６０５へ処理が進められる。Ｓ６０４にて、システム制御部１１７は、所定の停止処理を行う。そして、通常オートモードでの処理が終了される。
【００８８】
Ｓ６０５にて、システム制御部１１７は、行われたユーザ操作が初心者モード設定操作（初心者モードを設定するためのユーザ操作）であるか否かを判断する。初心者モード設定操作は、例えば、操作部１０５の初心者モード設定ボタンに対するユーザ操作である。行われたユーザ操作が初心者モード設定操作であると判断された場合にはＳ６０６へ処理が進められ、そうでない場合にはＳ６０８へ処理が進められる。
【００８９】
Ｓ６０６にて、システム制御部１１７は、ユーザに対する第５の通知が行われるよう制
御する。第５の通知は、初心者モードが設定されたことの通知などである。本実施形態では、システム制御部１１７は、予め定められた第５のグラフィック画像（アイコン、テキスト、等）がライブビュー画面上に所定時間だけ表示されるよう制御する。第５のグラフィック画像が表示されることにより、第５の通知が実現される。図５（Ｅ）は、第５のグラフィック画像が表示された状態におけるライブビュー画面の一例を示す。図５（Ｅ）の例では、第５のグラフィック画像として、「初心者モードを設定しました。」というテキストが表示されている。ユーザは、図５（Ｅ）の上記テキストを確認することにより、初心者モードが設定されたことなどを把握することができる。その後、Ｓ６０７へ処理が進められる。Ｓ６０７にて、システム制御部１１７は、初心者モードを設定する。そして、通常オートモードでの処理が終了される。
【００９０】
なお、第５のグラフィック画像は、上記テキストに限られない。第５の通知は、第５のグラフィック画像の表示でなくてもよい。第５の通知は、音声による通知、表示部とは異なるランプからの光による通知、等であってもよい。
【００９１】
Ｓ６０８〜Ｓ６１７の処理は、図４のＳ４１１〜Ｓ４２０の処理と同様である。Ｓ６０９、Ｓ６１１、Ｓ６１３、Ｓ６１５、または、Ｓ６１７の処理が行われた後、Ｓ６０２へ処理が戻される。Ｓ６１６にて、行われたユーザ操作が通信操作でないと判断された場合には、Ｓ６１８へ処理が進められる。
【００９２】
Ｓ６１８にて、システム制御部１１７は、行われたユーザ操作がメニュー操作であるか否かを判断する。メニュー操作は、各種設定のための所定のメニュー画面に関するユーザ操作である。例えば、メニュー操作は、操作部１０５のメニューボタンに対するユーザ操作である。行われたユーザ操作がメニュー操作であると判断された場合にはＳ６１９へ処理が進められ、そうでない場合にはＳ６２０へ処理が進められる。Ｓ６１９にて、システム制御部１１７は、メニュー操作に応じたメニュー処理を行う。例えば、所定のメニュー画面を表示する処理、所定のメニュー画面を用いたユーザ操作に応じた処理、等がメニュー処理として行われる。所定のメニュー画面を用いたユーザ操作に応じた処理として、例えば、初心者モードでデジタルカメラ１００を起動するか否かの設定を変更する処理が行われる。所定のメニュー画面を用いたユーザ操作に応じた処理として、撮影された画像に所定の情報（撮影が行われた日付、撮影が行われた場所、等）を付加するか否かの設定を切り替える処理が行われることもある。所定のメニュー画面を用いたユーザ操作に応じた処理として、撮影された画像を当該撮影後に表示部１０１が自動で表示するレビュー表示を行うか否かの設定を切り替える処理、等が行われることもある。その後、Ｓ６０２へ処理が戻される。
【００９３】
Ｓ６２０にて、システム制御部１１７は、行われたユーザ操作が撮影モード変更操作であるか否かを判断する。撮影モード変更操作は、設定されている撮影モードを通常オートモードと詳細モードの間で切り替えるためのユーザ操作である。例えば、撮影モード変更操作は、操作部１０５の撮影モード変更ボタンに対するユーザ操作である。行われたユーザ操作が撮影モード変更操作であると判断された場合にはＳ６２１へ処理が進められ、そうでない場合にはＳ６２２へ処理が進められる。Ｓ６２１にて、システム制御部１１７は、撮影モード変更操作に応じた撮影モード変更処理を行う。本実施形態では、撮影モード変更処理は、設定されている撮影モードを通常オートモードと詳細モードの間で切り替える処理である。その後、Ｓ６０２へ処理が戻される。
【００９４】
Ｓ６２２にて、システム制御部１１７は、行われたユーザ操作に応じたその他の処理を行う。その他の処理として、例えば、表示部１０１での表示を切り替える処理、フォーカスの自動調整（ＡＦ処理）の設定を切り替える処理、等が行われる。
【００９５】
このように、通常オートモードでも、初心者モードと同様に、電源オフ操作、初心者モード解除操作、撮影操作、フラッシュ切替操作、ズーム操作、再生・編集操作、及び、通信操作が有効とされる。さらに、通常オートモードでは、レビュー表示に関する設定項目、撮影された画像に付加される情報に関する設定項目、表示部１０１での表示の切り替えに関する設定項目、及び、ＡＦ処理に関する設定項目も有効とされる。具体的には、通常オートモードでは、メニュー操作、撮影モード変更操作、及び、その他のユーザ操作も有効とされる。有効とされるユーザ操作の数が初心者モードに比べ多いため、中級者と上級者にとって利便性が高いデジタルカメラ１００を実現することができる。
【００９６】
また、通常オートモードで初心者が誤操作を行ったとしても、初心者モードでデジタルカメラ１００を起動することの設定が解除されなければ、デジタルカメラ１００の再起動によって初心者モードが設定される。そのため、初心者にとっても利便性が高いデジタルカメラ１００を実現することができる。
【００９７】
また、通常オードモードでは、設定されている撮影モードを初心者モードへ切り替えることも、設定されている撮影モードを詳細モードへ切り替えることもできる。そのため、初心者と上級者にとってより利便性が高いデジタルカメラ１００を実現することができる。
【００９８】
（メニュー画面）
図５（Ｆ）は、メニュー画面の一例を示す。メニュー画面５０１は、撮影タブ５０２、設定タブ５０３、メニュー項目５０４〜５０６、及び、メニュー項目の設定の選択肢５０７〜５１２を含む。撮影タブ５０２に対するユーザ操作に応じて撮影タブ５０２の状態がアクティブ状態となることにより、メニュー項目５０４〜５０６と選択肢５０７〜５１２が表示される。設定タブ５０３に対するユーザ操作に応じて設定タブ５０３の状態がアクティブ状態となることにより、メニュー項目５０４〜５０６と選択肢５０７〜５１２から他の情報へ表示が切り替えられる。メニュー画面５０１では、設定タブ５０３の状態が非アクティブ状態であるため、設定タブ５０３に対応する情報（メニュー項目、選択肢、等）は表示されていない。
【００９９】
メニュー項目５０４は、初心者モードでデジタルカメラ１００を起動するか否かの設定の切り替えに対応する設定項目である。メニュー項目５０４の選択肢５０７（「する」）を選択するユーザ操作が行われると、初心者モードでデジタルカメラ１００を起動することが設定される。メニュー項目５０４の選択肢５０８（「しない」）を選択するユーザ操作が行われると、初心者モードでデジタルカメラ１００を起動しないことが設定される。
【０１００】
メニュー項目５０５は、レビュー表示を行うか否かの設定の切り替えに対応する設定項目である。メニュー項目５０５の選択肢５０９（「する」）を選択するユーザ操作が行われると、レビュー表示を行うことが設定される。メニュー項目５０５の選択肢５１０（「しない」）を選択するユーザ操作が行われると、レビュー表示を行わないことが設定される。
【０１０１】
メニュー項目５０６は、撮影が行われた日付のテキスト（日時テキスト）を撮影された画像に合成するか否かの設定の切り替えに対応する設定項目である。メニュー項目５０６の選択肢５１１（「する」）を選択するユーザ操作が行われると、撮影された画像に日時テキストを合成することが設定される。メニュー項目５０６の選択肢５１２（「しない」）を選択するユーザ操作が行われると、撮影された画像に日時テキストを合成しないことが設定される。
【０１０２】
（メニュー処理）
図７を用いて、本実施形態に係るメニュー処理の一例を説明する。図７は、本実施形態に係るメニュー処理の一例を示すフローチャートである。
【０１０３】
まず、Ｓ７０１にて、システム制御部１１７は、メニュー画面の初期設定を行う。例えば、メモリ１１８に記録されている設定値に応じてメニュー画面を生成する処理が、メニュー画面の初期設定として行われる。具体的には、設定されている撮影モードで変更可能なメニュー項目のみが表示されるようにメニュー画面を生成する処理が、メニュー画面の初期設定として行われる。設定されている撮影モードで変更不可能なメニュー項目の配色を目立たない配色に変更する処理、設定されている撮影モードで変更可能なメニュー項目の配色を目立つ配色に変更する処理、等が、メニュー画面の初期設定として行われてもよい。その後、Ｓ７０２へ処理が進められる。
【０１０４】
Ｓ７０２にて、システム制御部１１７は、メニュー画面が表示されるよう制御する。Ｓ７０２の処理により、例えば、図５（Ｆ）のメニュー画面が表示される。その後、Ｓ７０３へ処理が進められる。Ｓ７０３にて、システム制御部１１７は、ユーザ操作が行われたか否かを判断する。ユーザ操作が行われたと判断されるまで、Ｓ７０３の処理が繰り返される。そして、ユーザ操作が行われたと判断されると、Ｓ７０４へ処理が進められる。
【０１０５】
Ｓ７０４にて、システム制御部１１７は、行われたユーザ操作がメニュー終了操作（メニュー処理を終了するためのユーザ操作）であるか否かを判断する。行われたユーザ操作がメニュー終了操作であると判断された場合には、システム制御部１１７は、メニュー処理を終了するメニュー終了処理を行う。例えば、メニュー終了処理として、メニュー画面の表示を停止してライブビュー表示を開始する処理が行われる。それにより、メニュー処理が終了される。行われたユーザ操作がメニュー終了操作でないと判断された場合には、Ｓ７０５へ処理が進められる。
【０１０６】
Ｓ７０５にて、システム制御部１１７は、行われたユーザ操作が起動モード切替操作であるか否かを判断する。起動モード切替操作は、初心者モードでデジタルカメラ１００を起動するか否かの設定を切り替えるためのユーザ操作である。例えば、起動モード切替操作は、図５（Ｆ）のメニュー項目５０４に対応する２つの選択肢５０７，５０８の一方に対するユーザ操作である。行われたユーザ操作が起動モード切替操作であると判断された場合にはＳ７０６へ処理が進められ、行われたユーザ操作が起動モード切替操作でないと判断された場合にはＳ７０７へ処理が進められる。
【０１０７】
Ｓ７０６にて、システム制御部１１７は、起動モード切替操作に応じた起動モード切替処理を行う。起動モード切替処理により、初心者モードでデジタルカメラ１００を起動するか否かの設定が切り替えられる。その後、Ｓ７０３へ処理が戻される。
【０１０８】
Ｓ７０７にて、システム制御部１１７は、行われたユーザ操作に応じたその他の処理を行う。その他の処理として、例えば、レビュー表示を行うか否かの設定の切り替え、撮影された画像に日時テキストを合成するか否かの設定の切り替え、等が行われる。その後、Ｓ７０３へ処理が戻される。
【０１０９】
このように、初心者モードでデジタルカメラ１００を起動するか否かの設定は、メニュー処理において切り替えることができる。メニュー処理は、メニューボタンに対するユーザ操作に応じて開始される。しかしながら、初心者モードでは、メニューボタンに対するユーザ操作は受け付けられない。そのため、初心者モードでは、初心者モードでデジタルカメラ１００を起動するか否かの設定を変更できない。初心者モードでデジタルカメラ１００を起動するか否かの設定を変更するためには、設定されている撮影モードを、初心者モードから他の撮影モードへ切り替える必要がある。
【０１１０】
（詳細モード）
図８を用いて、本実施形態に係る詳細モードでの処理の一例を説明する。図８は、本実施形態に係る詳細モードでの処理の一例を示すフローチャートである。
【０１１１】
図８のＳ８０１〜Ｓ８０４の処理は、図６のＳ６０１〜Ｓ６０４と同様である。Ｓ８０３にて、行われたユーザ操作が電源オフ操作でないと判断された場合には、Ｓ８０５へ処理が進められる。図８のＳ８０５〜Ｓ８１９の処理は、図６のＳ６０８〜Ｓ６２２の処理と同様である。
【０１１２】
このように、詳細モードでは、図６のＳ６０５〜Ｓ６０７の処理は行われない。即ち、詳細モードでは、設定されている撮影モードを初心者モードへ切り替えることができない。設定されている撮影モードを初心者モードへ切り替えるためには、設定されている撮影モードを、詳細モードから通常オートモードへ切り替える必要がある。上級者が初心者モードでデジタルカメラ１００を使用する可能性は低い。そのため、設定されている撮影モードを詳細モードから初心者モードへ切り替えることができない構成により、上級者にとって利便性の高いデジタルカメラ１００を実現することができる。設定されている撮影モードを初心者モードから詳細モードへ切り替えることはできないため、初心者が詳細モードでデジタルカメラ１００を使用する可能性は低い。そのため、設定されている撮影モードを詳細モードから初心者モードへ切り替えることができない構成による利便性の低下は生じ難い。
【０１１３】
なお、詳細モードでは、通常オートモードに比べ多くのユーザ操作（設定項目）が有効とされる。例えば、詳細モードがＰモードである場合は、以下のユーザ操作が有効とされる。以下のユーザ操作に応じた処理は、例えば、Ｓ８１６またはＳ８１９にて行われる。
・撮像画像の露出の補正量を変更するための露出操作
・被写体からの光の測光方式を変更するための測光方式操作
・ＩＳＯ感度を変更するためのＩＳＯ感度操作
・ホワイトバランスを変更するためのＷＢ操作
・ＡＦ処理でフォーカスを合わせる距離を変更するためのＡＦ範囲操作
・ＡＦ処理でフォーカスを合わせる画像位置を変更するためのＡＦフレーム操作
・所定のＡＦ処理の実行／非実行を切り替えるためのフォーカス操作
・セルフタイマーの状態を変更するためのタイマー操作
・連写／単写を含む撮影の種類を変更するためのドライブ操作
・撮像画像の画質を変更するための画質操作
・表示される情報を変更するための表示操作
【０１１４】
例えば、露出補正操作が行われた場合には、システム制御部１１７は、露出補正操作に応じた補正量で露出を補正する処理を行う。
【０１１５】
測光方式操作が行われた場合には、システム制御部１１７は、測光方式操作に応じた測光方式を設定する。例えば、「評価測光」、「中央重点平均測光」、「スポット測光」、等の複数の選択肢のいずれかが設定される。「評価測光」では、撮像画像において被写体が常に適正露出になるようにシーンに応じて測光が自動で補正される。「中央重点平均測光」では、画面中央部に重点を置いて画面全体が平均的に測光される。「スポット測光」では、画面中央に表示されるスポット測光枠に対応する範囲のみが測光される。
【０１１６】
ＩＳＯ感度操作が行われた場合には、システム制御部１１７は、ＩＳＯ感度操作に応じたＩＳＯ感度を設定する。例えば、自動で決定されたＩＳＯ感度が設定されたり、１００から６４００まで１段刻みの複数の値のうちユーザによって指定された値がＩＳＯ感度と
して設定されたりする。
【０１１７】
ＷＢ操作が行われた場合には、システム制御部１１７は、ＷＢ操作に応じたホワイトバランスを設定する。例えば、「オート」、「太陽光」、「くもり」、「電球」、「蛍光灯」、「マニュアル」、等の複数の選択肢のいずれかが設定される。「オート」では、シーンに応じてホワイトバランスが自動で決定されて設定される。「太陽光」では、太陽光の下で好適な撮像画像が得られるホワイトバランスが設定される。「くもり」では、くもり空の下で好適な撮像画像が得られるホワイトバランスが設定される。「電球」では、電球から発せられた光の下で好適な撮像画像が得られるホワイトバランスが設定される。「蛍光灯」では、蛍光灯から発せられた光の下で好適な撮像画像が得られるホワイトバランスが設定される。「マニュアル」では、ユーザによって指定されたホワイトバランスが設定される。
【０１１８】
ＡＦ範囲操作が行われた場合には、システム制御部１１７は、ＡＦ範囲操作に応じた距離を、ＡＦ処理でフォーカスを合わせる距離として設定する。例えば、「マクロ」、「通常」、「遠景」、等の複数の選択肢のいずれかが設定される。「マクロ」では、比較的短い距離の範囲が、ＡＦ処理でフォーカスを合わせる距離として設定される。「遠景」では、比較的長い距離の範囲が、ＡＦ処理でフォーカスを合わせる距離として設定される。「通常」では、中間的（標準的）な距離の範囲が、ＡＦ処理でフォーカスを合わせる距離として設定される。
【０１１９】
ＡＦフレーム操作が行われた場合には、システム制御部１１７は、ＡＦフレーム操作に応じた画像位置を、ＡＦ処理でフォーカスを合わせる画像位置として設定する。例えば、「顔優先ＡＦ」、「中央１点ＡＦ」、「追尾ＡＦ」、等の複数の選択肢のいずれかが設定される。「顔優先ＡＦ」では、顔の画像領域でフォーカスを合わせるＡＦ処理が行われる。「中央１点ＡＦ」では、画像の中央でフォーカスを合わせるＡＦ処理が行われる。「追尾ＡＦ」では、フォーカス位置（フォーカスが合った画像位置）に対応する被写体の動きに合わせてフォーカス位置を動かすＡＦ処理が行われる。
【０１２０】
フォーカス設定操作が行われた場合には、システム制御部１１７は、フォーカス設定操作に応じて、所定のＡＦ処理の実行／非実行を設定する。所定のＡＦ処理は、例えば、サーボＡＦである。サーボＡＦは、「コンティニュアスＡＦ」とも呼ばれる。
【０１２１】
タイマー操作が行われた場合には、システム制御部１１７は、セルフタイマーの状態として、タイマー操作に応じた状態を設定する。例えば、「しない」、「２秒」、「１０秒」、「カスタム」、等の複数の選択肢のいずれかが設定される。「しない」では、撮影を行う指示に応じて直ちに撮影が行われる。「２秒」では、撮影を行う指示の２秒後に撮影が行われる。「１０秒」では、撮影を行う指示の１０秒後に撮影が行われる。「カスタム」では、撮影を行う指示からユーザ指定時間（ユーザによって指定された時間）だけ経過した後に撮影が行われる。
【０１２２】
ドライブ操作が行われた場合には、システム制御部１１７は、撮影の種類として、撮影種類操作に応じた種類を設定する。例えば、「連写」、「単写」、等の複数の選択肢のいずれかが設定される。「連写」では、撮影を行う指示に応じて複数の静止画の撮影が連続して行われる。「単写」では、撮影を行う指示に応じて１つの静止画の撮影が行われる。
【０１２３】
画質操作が行われた場合には、システム制御部１１７は、撮像画像の画質として、画質操作に応じた画質を設定する。例えば、静止画の撮影を行う場合には、画質として、撮像画像の画像サイズ（画素数）と撮像画像の圧縮率との少なくとも一方が設定される。動画の撮影を行う場合には、画質として、撮像画像の画像サイズ（画素数）と撮像画像のフレ
ームレートとの少なくとも一方が設定される。
【０１２４】
表示操作が行われた場合には、システム制御部１１７は、表示部１０１に表示する情報を設定する。例えば、ライブビュー表示においてライブビュー画像に重ねて表示される情報が設定される。具体的には、各種設定の情報、バッテリーの残容量、等の情報を表示するか否か、表示する情報の数、等が設定される。
【０１２５】
図６のＳ６１８の処理、Ｓ６２２の処理、図８のＳ８１６の処理、のＳ８１９の処理、等は、例えば、以下の手順で行われる。まず、メニューボタンに対するユーザ操作に応じて、システム制御部１１７は、メニュー画面（例えば、図５（Ｆ）のメニュー画面）を表示する処理を行う。次に、上ボタン、下ボタン、左ボタン、右ボタン、等に対するユーザ操作に応じて、システム制御部１１７は、メニュー画面に含まれる複数のメニュー項目の間で処理対象のメニュー項目を切り替える。そして、ＳＥＴボタンに対するユーザ操作に応じて、システム制御部１１７は、処理対象のメニュー項目を選択する。次に、上ボタン、下ボタン、左ボタン、右ボタン、等に対するユーザ操作に応じて、システム制御部１１７は、処理対象のメニュー項目の設定を変更する。
【０１２６】
初心者モードでは、メニューボタンに対するユーザ操作は受け付けられない。そのため、初心者モードでは、ユーザは、メニュー画面を確認したり、メニュー画面に含まれる設定項目の設定を変更したりすることはできない。
【０１２７】
（撮影モード変更処理）
図９を用いて、本実施形態に係る撮影モード変更処理の一例を説明する。図９は、本実施形態に係る撮影モード変更処理の一例を示すフローチャートである。
【０１２８】
まず、Ｓ９０１にて、システム制御部１１７は、設定されている撮影モードが通常オートモードであるか詳細モードであるかを判断する。通常オートモードが設定されていると判断された場合にはＳ９０２へ処理が進められ、詳細モードが設定されていると判断された場合にはＳ９０３へ処理が進められる。
【０１２９】
Ｓ９０３にて、システム制御部１１７は、切り替え後の撮影モードが通常オートモードであるか詳細モードであるかを判断する。切り替え後の撮影モードが通常オートモードであると判断された場合にはＳ９０４へ処理が進められ、切り替え後の撮影モードが詳細モードであると判断された場合にはＳ９０２へ処理が進められる。切り替え前の撮影モードが詳細モードであり、且つ、切り替え後の撮影モードが他の詳細モードである場合があるため、Ｓ９０３の処理が必要となる。
【０１３０】
Ｓ９０２にて、システム制御部１１７は詳細モードを設定する。Ｓ９０４にて、システム制御部１１７は通常オートモードを設定する。そして、Ｓ９０２またはＳ９０３の処理の後、撮影モード変更処理が終了される。
【０１３１】
以上述べたように、本実施形態によれば、デジタルカメラ１００の起動時に、デジタルカメラ１００の前回の動作停止時に設定されていた撮影モードに拘らず、初心者モードが設定される。それにより、デジタルカメラ１００に対して誤ったユーザ操作が行われるリスクをより低減することができる。
【０１３２】
なお、説明した各フローチャートは、不揮発性メモリ１２１に記録されたプログラムをシステム制御部１１７がシステムメモリ１２２に展開し、システムメモリ１２２に展開された当該プログラムをシステム制御部１１７が実行することによって実現される。
【０１３３】
なお、システム制御部１１７が行うものとして説明した各種制御は、１つのハードウェアによって行われてもより、複数のハードウェアによって分担されて実行されてもよい。また、上記実施形態はあくまで一例であり、本発明は上記実施形態に限られない。本発明の要旨を逸脱しない範囲の様々な形態も本発明に含まれる。
【０１３４】
なお、本実施形態においては、本発明をデジタルカメラに適用した場合の例を説明したが、本発明は、撮像装置であれば適用可能である。例えば、撮像装置としての機能を有するパーソナルコンピュータ、ＰＤＡ、携帯電話端末（スマートフォン含む）等に本発明を適用可能である。また、撮像装置としての機能を有する携帯型の画像ビューワ、プリンタ装置、デジタルフォトフレーム、音楽プレーヤー、ゲーム機、電子ブックリーダー、タブレット端末、投影装置、家電装置、車載装置、等にも本発明は適用可能である。
【０１３５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１３６】
１００：デジタルカメラ  １１７：システム制御部
【図１】
2018082331.tif 000003
【図２】
2018082331.tif 000004
【図３】
2018082331.tif 000005
【図４】
2018082331.tif 000006
【図５】
2018082331.tif 000007
【図６】
2018082331.tif 000008
【図７】
2018082331.tif 000009
【図８】
2018082331.tif 000010
【図９】
2018082331.tif 000011